(57)【要約】【課題】不要な検査を削減することが可能な医用情報処理装置を提供する。【解決手段】一実施形態に係る医用情報処理装置は、患者の医療に関するイベントを時系列に沿って並べたタイムラインを画面に表示する端末装置と、イベントに対応する医用情報を格納した患者情報データベースと、にそれぞれ接続可能である。この医用情報処理装置は、医療従事者が要求する第１医用情報が端末装置に入力されると、患者情報データベースから第１医用情報を検索し、第１医用情報を検索できなかった場合、第１医用情報に関する識別情報を用いて患者情報データベースから第１医用情報に関連する第２医用情報を検索する検索部と、検索部の検索結果に応じて第１医用情報または第２医用情報を端末装置へ出力するように制御する出力制御部と、を備える。【選択図】図１
2019204223.tif 000002
【特許請求の範囲】
【請求項１】
患者の医療に関するイベントを時系列に沿って並べたタイムラインを画面に表示する端末装置と、前記イベントに対応する医用情報を格納した患者情報データベースと、にそれぞれ接続可能な医用情報処理装置であって、
医療従事者が要求する第１医用情報が前記端末装置に入力されると、前記患者情報データベースから前記第１医用情報を検索し、前記第１医用情報を検索できなかった場合、前記第１医用情報に関する識別情報を用いて前記患者情報データベースから前記第１医用情報に関連する第２医用情報を検索する検索部と、
前記検索部の検索結果に応じて前記第１医用情報または前記第２医用情報を前記端末装置へ出力するように制御する出力制御部と、
を備える医用情報処理装置。
【請求項２】
前記検索部が前記第１医用情報を検索できなかった場合、前記出力制御部は、前記第１医用情報の過去の検査結果を示す過去情報、または、前記第１医用情報に類似する類似情報を前記第２医用情報として前記端末装置へ出力する、請求項１に記載の医用情報処理装置。
【請求項３】
前記患者情報データベースにおいて、前記医用情報は、医療内容の類似性に基づいて分類され、
前記検索部は、前記第１医用情報を検索できなかった場合、前記第１医用情報と同じ種類に属する前記第２医用情報を前記類似情報として検索する、請求項２に記載の医用情報処理装置。
【請求項４】
前記検索部による前記第２医用情報の検索後、前記出力制御部は、前記第１医用情報を取得するための第１検査イベントを前記タイムラインに追加するように制御する、請求項１から３のいずれかに記載の医用情報処理装置。
【請求項５】
前記第１検査イベントは、前記タイムラインに問診イベントが登録されていない場合に追加される、請求項４に記載の医用情報処理装置。
【請求項６】
複数の前記端末装置が前記医用情報処理装置に接続され、
前記出力制御部は、前記複数の端末装置にそれぞれ表示される前記タイムラインに前記第１検査イベントを追加するように制御する、請求項４または５に記載の医用情報処理装置。
【請求項７】
前記医用情報処理装置は、前記医用情報を取得する検査を管理する検査オーダシステムにも接続され、
前記出力制御部は、前記第１検査イベントに関する第１検査を前記検査オーダシステムに追加するように制御する、請求項４から６のいずれかに記載の医用情報処理装置。
【請求項８】
前記出力制御部は、前記第１検査イベントの検査結果を前記画面に表示させるように制御する、請求項４から７のいずれかに記載の医用情報処理装置。
【請求項９】
前記第１検査イベントが終了すると、前記画面のレイアウトを更新するように制御する更新部をさらに備える、請求項８に記載の医用情報処理装置。
【請求項１０】
前記端末装置が、第１端末装置と、前記第１端末装置と異なる第２端末装置と、を含み、
前記第１医用情報が第２端末装置に入力されると、前記出力制御部は、前記検索部の検索結果に応じて前記第１医用情報または前記第２医用情報を、前記第１端末装置へ出力するように制御する、請求項１から３のいずれかに記載の医用情報処理装置。
【請求項１１】
前記画面のレイアウトが前記第１端末装置で更新されると、前記第２端末装置の前記画面のレイアウトも更新するように制御する更新部をさらに備える、請求項１０に記載の医用情報処理装置。
【請求項１２】
患者の医療に関するイベントを時系列に沿って並べたタイムラインを画面に表示する端末装置と、前記イベントに対応する医用情報を格納した患者情報データベースと、を含むシステムで行われる医用情報処理方法であって、
医療従事者が要求する第１医用情報が前記端末装置に入力されると、前記患者情報データベースから前記第１医用情報を検索し、
前記第１医用情報を検索できなかった場合、前記第１医用情報に関する識別情報を用いて前記患者情報データベースから前記第１医用情報に関連する第２医用情報を検索し、
検索結果に応じて前記第１医用情報または前記第２医用情報を前記端末装置へ出力するように制御する、医用情報処理方法。
【請求項１３】
患者の医療に関するイベントを時系列に沿って並べたタイムラインを画面に表示する端末装置と、前記イベントに対応する医用情報を格納した患者情報データベースと、にそれぞれ接続可能なコンピュータに実行させるプログラムであって、
医療従事者が要求する第１医用情報が前記端末装置に入力されると、前記患者情報データベースから前記第１医用情報を検索する第１検索手順と、
前記第１医用情報を検索できなかった場合、前記第１医用情報に関する識別情報を用いて前記患者情報データベースから前記第１医用情報に関連する第２医用情報を検索する第２検索手順と、
検索結果に応じて前記第１医用情報または前記第２医用情報を前記端末装置へ出力するように制御する出力制御手順と、
を含む、プログラム。
【発明の詳細な説明】
【技術分野】
【０００１】
本発明の実施形態は、医用情報処理装置、医用情報処理方法、およびプログラムに関する。
【背景技術】
【０００２】
病院等で使用されるシステムには、検査で取得された画像や数値などの医用情報を患者ごとにデータベースに格納されている場合がある。この場合、医用情報は、医療従事者が使用する端末装置に表示することができる。また、端末装置には、医用情報とともに、各患者の医療に関するイベントを時系列に沿って並べたタイムラインを表示することもできる。
【先行技術文献】
【特許文献】
【０００３】
【特許文献１】特開２００５−６３２５３号公報
【発明の概要】
【発明が解決しようとする課題】
【０００４】
医療従事者は、端末装置に表示された医用情報やタイムラインに基づいて患者の医療内容を把握する。従来のシステムでは、医療従事者が要求する医用情報がデータベースに格納されていないとき、医療従事者は、端末装置を操作して、その医用情報を取得するための検査をオーダする。
【０００５】
しかし、新たに検査を行わなくても、データベースには、代用可能な他の医用情報が格納されている可能性がある。そのため、このような他の医用情報を活用できない従来のシステムでは、不要な検査が増加するおそれがある。
【０００６】
本実施形態の目的は、不要な検査を削減することが可能な医用情報処理装置、医用情報処理方法、およびプログラムを提供することである。
【課題を解決するための手段】
【０００７】
本実施形態に係る医用情報処理装置は、患者の医療に関するイベントを時系列に沿って並べたタイムラインを画面に表示する端末装置と、イベントに対応する医用情報を格納した患者情報データベースと、にそれぞれ接続可能である。この医用情報処理装置は、医療従事者が要求する第１医用情報が端末装置に入力されると、患者情報データベースから第１医用情報を検索し、第１医用情報を検索できなかった場合、第１医用情報に関する識別情報を用いて患者情報データベースから第１医用情報に関連する第２医用情報を検索する検索部と、検索部の検索結果に応じて第１医用情報または第２医用情報を端末装置へ出力するように制御する出力制御部と、を備える。
【図面の簡単な説明】
【０００８】
【図１】第１実施形態に係る医用情報システムの構成を示すブロック図である。
【図２】第１実施形態に係る医用情報処理方法のフローチャートである。
【図３】（ａ）は第１医用情報の表示例を示し、（ｂ）は第２医用情報の表示例を示し、（ｃ）は検査イベントを追加したタイムラインの表示例を示し、（ｄ）は検査後の表示例を示す。
【図４】第２実施形態に係る医用情報処理方法のシーケンス図である。
【図５】（ａ）はカンファレンス開始時の第１端末装置の画面の一例を示し、（ｂ）は第２端末装置の更新画面の一例を示し、（ｃ）はカンファレンス途中時の第１端末装置の画面の一例を示し、（ｄ）はカンファレンス終了時の第１端末装置の画面の一例を示し、（ｅ）は、第２端末装置の更新画面の一例を示す。
【図６】情報要求処理の手順を示すフローチャートである。
【発明を実施するための形態】
【０００９】
以下、図面を参照しながら、本実施形態を説明する。本実施形態は、本発明を限定するものではない。なお、以下の説明において、略同一の機能及び構成を有する構成要素については、同一符号を付し、重複説明は必要な場合にのみ行うこととする。
【００１０】
（第１実施形態）
図１は、第１実施形態に係る医用情報システムの構成を示すブロック図である。図１に示す医用情報システム１は、端末装置２と、医用情報処理装置３と、患者情報データベース４と、を備える。本実施形態では、医用情報処理装置３が、例えば、病院内に設置されたＬＡＮ（Local Area Network）により、端末装置２、患者情報データベース４、および検査オーダシステム５のそれぞれと接続されている。
【００１１】
端末装置２は、Ｉ／Ｆ（インターフェース）回路２１と、入力装置２２と、ディスプレイ２３と、記憶回路２４と、処理回路２５とを有する。Ｉ／Ｆ回路２１は、例えば処理回路２５に接続されたネットワークカードやネットワークアダプタ、ＮＩＣ（Network Interface Controller）等によって実現される。Ｉ／Ｆ回路２１は、ネットワークを介して接続された医用情報処理装置３との間で行われる各種データの伝送及び通信を制御する。
【００１２】
入力装置２２は、例えば、処理回路２５に接続されたスイッチボタン、マウス、キーボード、タッチパネル等である。入力装置２２は、操作者（医療従事者）から受け付けた入力操作を電気信号に変換して処理回路２５に出力する。ここで、入力装置２２は、医用情報システム１におけるトリガとなる操作を受け付ける。例えば、入力装置２２は、患者の医療に関するイベント（例えば、入院登録や、オーダの入力等）の入力操作を受け付ける。
【００１３】
ディスプレイ２３は、例えば、処理回路２５に接続された液晶モニタやＣＲＴ（Cathode Ray Tube）モニタ、タッチパネル等によって実現される。ディスプレイ２３は、処理回路２５で処理された種々の情報を表示する。ディスプレイ２３は、例えば、患者情報データベース４に格納されている医用情報やタイムラインを表示する。
【００１４】
記憶回路２４は、例えば、処理回路２５に接続されたＲＡＭ（Random Access Memory）、フラッシュメモリ等の半導体メモリ素子や、ハードディスク、光ディスク等によって実現される。本実施形態では、記憶回路２４は、医用情報処理装置３から受信した種々の情報等を記憶する。
【００１５】
処理回路２５は、例えば、プロセッサによって実現される。処理回路２５は、入力装置２２を介して操作者から受け付けた入力操作に応じて、端末装置２の各構成要素を制御する。例えば、処理回路２５は、入力装置２２を介して受け付けた入力操作に応じた情報をＩ／Ｆ回路２１から医用情報処理装置３に送信させる。また、処理回路２５は、Ｉ／Ｆ回路２１から入力される種々の情報を記憶回路２４に記憶させる。また、処理回路２５は、記憶回路２４から情報を読み出して、ディスプレイ２３に表示させる。
【００１６】
本実施形態では、端末装置２は、病院内の種々の診療科、部門に配置され、医師や看護師、コメディカル、事務職員などの医療従事者によって操作される。各医療従事者は、端末装置２の入力装置２２を操作して、自身のスタッフＩＤを入力することで、医用情報システム１にアクセス可能となる。その後、各医療従事者は、種々の入力操作を行う。端末装置２は、各医療従事者の入力操作に応じた情報を医用情報処理装置３に送信する。なお、本実施形態では、複数の端末装置２がネットワークを介して医用情報処理装置３に接続されているが、端末装置２の台数は１台でもよく、特に制限されない。
【００１７】
医用情報処理装置３は、図１に示すように、Ｉ／Ｆ（インターフェース）回路３１と、記憶回路３２と、処理回路３３とを有する。医用情報処理装置３は、例えば端末装置２から受信した情報に応じた処理を実行するサーバとして機能する。
【００１８】
Ｉ／Ｆ回路３１は、例えば、処理回路３３に接続されたネットワークカードやネットワークアダプタ、ＮＩＣ等によって実現される。Ｉ／Ｆ回路３１は、ネットワークを介して接続された端末装置２との間で行われる各種データの伝送及び通信を制御する。
【００１９】
記憶回路３２は、例えば、処理回路３３に接続されたＲＡＭ、フラッシュメモリ等の半導体メモリ素子や、ハードディスク、光ディスク等によって実現される。記憶回路３２は、処理回路３３の動作内容を示すプログラム等を記憶する。
【００２０】
処理回路３３は、例えばプロセッサによって実現される。本実施形態では、処理回路３３は、制御機能３３１と、受付機能３３２と、検索機能３３３と、更新機能３３４と、出力機能３３５とを有する。検索機能３３３、更新機能３３４、および出力機能３３５は、それぞれ特許請求の範囲における検索部、更新部、および出力制御部の一例である。
【００２１】
制御機能３３１は、医用情報処理装置３の全体制御を行う。すなわち、制御機能３３１は、端末装置２から受信した情報に応じて、各機能に種々の処理を実行させる。
【００２２】
受付機能３３２は、端末装置２からＩ／Ｆ回路３１を介して受信する情報を受け付ける。例えば、受付機能３５２は、医療従事者が要求する医用情報の入力操作や、検査結果を閲覧する入力操作に関する情報を、Ｉ／Ｆ回路３１を介して端末装置２から受け付ける。さらに、受付機能３３２は、患者の入院登録が実施されたことを示す情報を受け付ける。
【００２３】
検索機能３３３は、受付機能３５２で受け付けた情報に基づいて、患者情報データベース４から種々の医用情報を検索する。また、検索機能３３３は、検索結果を出力機能３３５へ出力する。
【００２４】
更新機能３５４は、例えば、患者情報データベース４の更新処理を行う。また、更新機能３５４は、端末装置２のディスプレイ２３における画面レイアウトの更新処理を行う。
【００２５】
出力機能３３５は、検索機能３３３の検索結果に応じて種々の医用情報を端末装置２へ出力する制御処理を行う。また、出力機能３３５は、検索機能３３３の検索結果に応じて、端末装置２のタイムラインに医用情報を取得するための検査イベントを追加する制御処理を行う。さらに、出力機能３３５は、上記検査イベントに関する検査を検査オーダシステム５に追加する制御処理を行う。
【００２６】
患者情報データベース４は、患者ごとに医用情報を格納する。本実施形態では、医用情報は、医療内容の類似性に基づいて分類されている。すなわち、医用情報には、類似コードが設定されている。例えば、ＣＴ（Computed Tomography）画像情報とＭＲ（Magnetic Resonance）画像情報とには同じ類似コードが設定されている。加えて、血糖値情報と尿糖検査情報とにも同じ類似コードが設定されている。なお、この類似コードは、ベンダーによって予め設定されていてもよいし、ユーザが設定してもよい。
【００２７】
検査オーダシステム５は、検査オーダ管理端末装置５１および検査オーダデータベース５２を有する。検査オーダ管理端末装置５１は、検査オーダデータベース５２に格納された検査情報に基づいて、各患者の検査を管理する。この検査情報は、例えば、患者名、検査日時、検査項目、検査者等を含んでいる。
【００２８】
以下、図２を参照して、本実施形態に係る医用情報処理装置３による医用情報処理方法を説明する。図２は、第１実施形態に係る医用情報処理方法のフローチャートである。
【００２９】
医療従事者が要求する第１医用情報が端末装置２の入力装置２２に入力されると、第１医用情報の要求が、Ｉ／Ｆ回路２１から医用情報処理装置３へ送信される。医用情報処理装置３では、第１医用情報の要求が、Ｉ／Ｆ回路３１を介して処理回路３３へ入力される。処理回路３３では、まず、受付機能３３２が、第１医用情報の要求を受け付ける（ステップＳ１）。
【００３０】
次に、検索機能３３３が、患者情報データベース４から第１医用情報を検索する（ステップＳ２）。第１医用情報が患者情報データベース４に格納されている場合（ステップＳ３：Ｙｅｓ）、出力機能３３５は、要求元の端末装置２に対して第１医用情報を出力する制御処理を行う（ステップＳ４）。
【００３１】
例えば、第１医用情報が、ある患者の直近の血圧値である場合、ステップＳ４では、出力機能３３５は、患者情報データベース４からその患者の直近の血圧値を示す第１医用情報を抽出し、抽出した第１医用情報をＩ／Ｆ回路３１から要求元の端末装置２へ送信させる。その結果、この端末装置２は、図３（ａ）に示すように、ディスプレイ２３にタイムラインとともに第１医用情報を表示する。
【００３２】
一方、第１医用情報が患者情報データベース４に格納されていなかった場合（ステップＳ３：Ｎｏ）、検索機能３３３は、第１医用情報に関連する第２医用情報を患者情報データベース４から検索する（ステップＳ５）。第１医用情報が、ある患者の直近の血圧値である場合、ステップＳ５では、検索機能３３３は、過去の検査で取得されたその患者の血圧値を示す過去情報、または血圧値に類似する類似情報を、第２医用情報として検索する。第２医用情報が類似情報である場合、検索機能３３３は、医療内容の類似性を示す類似コードに基づいて、患者情報データベース４から類似情報を検索する。
【００３３】
第２医用情報が患者情報データベース４に格納されている場合（ステップＳ６：Ｙｅｓ）、出力機能３３５は、第１医用情報の要求元の端末装置２に対して第２医用情報を出力する制御処理を行う（ステップＳ７）。ステップＳ７では、例えば、出力機能３３５は、患者情報データベース４から該当する第２医用情報を抽出し、抽出した第２医用情報をＩ／Ｆ回路３１から第１医用情報の要求元の端末装置２へ送信させる。その結果、この端末装置２は、図３（ｂ）に示すように、ディスプレイ２３にタイムラインとともに第２医用情報を表示する。このとき、医療従事者が、第２医用情報で代用できると判断した場合、第１医用情報を取得するための検査は行われない。そのため、不要な検査を削減することができる。
【００３４】
医療従事者は、第２医用情報で代用できないと判断したとき、端末装置２に第１医用情報を再び要求する操作を行う。この操作が行われたとき、出力機能３３５は、その患者の問診イベントがタイムラインに登録されているか否かを確認する（ステップＳ８）。なお、第２医用情報が患者情報データベース４に格納されていなかったとき（ステップＳ６：Ｎｏ）も、出力機能３３５は、自動的に上記ステップＳ８の動作を行ってもよい。
【００３５】
問診イベントがタイムラインに登録されている場合（ステップＳ８：Ｙｅｓ）、出力機能３３５は、問診イベントに第１医用情報を取得するための検査を追加する制御処理を行う（ステップＳ９）。反対に、問診イベントがタイムラインに登録されていない場合（ステップＳ８：Ｎｏ）、出力機能３３５は、タイムラインに第１医用情報を取得するための検査イベントを追加する制御処理を行う（ステップＳ１０）。これにより、図３（ｃ）に示すように、ディスプレイ２３に表示されたタイムラインに、検査イベントＩ１が追加される。なお、ステップＳ１０では、出力機能３３５は、要求元の端末装置２だけでなく、他の医療従事者（例えば、担当看護師）が使用する端末装置２のタイムラインにも検査イベントＩ１を追加することとしてもよい。この場合、検査イベントＩ１の情報を共有することができる。
【００３６】
ステップＳ９、Ｓ１０に続いて、出力機能３３５は、検査オーダシステム５へ第１医用情報を取得するための検査を追加する制御処理を行う（ステップＳ１１）。ステップＳ１１では、例えば出力機能３３５は、第１医用情報を取得するための検査内容を示す情報をＩ／Ｆ回路３１から検査オーダシステム５へ送信させる。検査オーダシステム５では、検査オーダ管理端末装置５１が、受信した情報を検査オーダデータベース５２へ格納する。検査が終了すると、検査結果は第１医用情報として患者情報データベース４に格納される。
【００３７】
その後、検索機能３３３によって、第１医用情報が患者情報データベース４に格納されていることが検索されると（ステップＳ１２：Ｙｅｓ）、出力機能３３５は、端末装置２に対して第１医用情報を出力する制御処理を行う（ステップＳ１３）。その結果、端末装置２は、図３（ｄ）に示すように、ディスプレイ２３に第１医用情報を表示する。また、ステップＳ１３では、更新機能３３４が、ディスプレイ２３における画面レイアウトを更新する。例えば、図３（ｄ）に示すように、更新機能３３４は、第１医用情報だけでなく、タイムラインおよび検査結果の確認を医療従事者に促すチェックリストもディスプレイ２３に表示させる。さらに、更新機能３３４は、タイムラインにおける検査イベントＩ１の表示形態を、過去のイベントの表示形態に変更する。これにより、例えば、検査イベントＩ１の表示色が変化したり、表示マークが変化したりする。
【００３８】
以上説明した本実施形態によれば、医療従事者が要求する第１医用情報が無かった場合、医用情報処理装置３が、第１医用情報と似た情報量を持つ他の情報、すなわち第２医用情報を患者情報データベース４から自動的に検索する。このように、第１医用情報に関する識別情報を用いて検索された第２医用情報が第１医用情報の代用になれば、第１医用情報を取得するための検査が不要になる。これにより、不要な検査を削減することができる。
【００３９】
また、本実施形態では、第２医用情報で代用できない場合、または第２医用情報もなかった場合には、医用情報処理装置３が、第１医用情報を取得するための検査を自動的にタイムラインに追加したり、検査オーダシステム５へ自動的にオーダしたりする。これにより、医療従事者の検査に要する手間を軽減することができる。
【００４０】
さらに、検査が終了すると、医用情報処理装置３によって端末装置２のディスプレイ２３の画面レイアウトが更新され、検査結果の確認を医療従事者に促すチェックリストがディスプレイ２３に表示される。これにより、検査結果の確認漏れを回避することができる。
【００４１】
（第２実施形態）
以下、医療従事者同士で患者に対する医療方針を決定する、いわゆるカンファレンスに上述した医用情報システム１および検査オーダシステム５を適用した実施形態について説明する。
【００４２】
図４は、第２実施形態に係る医用情報処理方法のシーケンス図である。図４において、第１端末装置２ａは、カンファレンスの発表者が使用する端末装置である。また、第２端末装置２ｂは、カンファレンスの参加者が使用する端末装置である。第１端末装置２ａおよび第２端末装置２ｂの構成は、第１実施形態で説明した端末装置２と同様である。すなわち、第１端末装置２ａは、Ｉ／Ｆ回路２１ａと、入力装置２２ａと、ディスプレイ２３ａと、記憶回路２４ａと、処理回路２５ａと、を有する。また、第２端末装置２ｂは、Ｉ／Ｆ回路２１ｂと、入力装置２２ｂと、ディスプレイ２３ｂと、記憶回路２４ｂと、処理回路２５ｂと、を有する。
【００４３】
カンファレンスの開始時に、第１端末装置２ａのディスプレイ２３ａには、図５（ａ）に示すように、タイムライン、検査数値、検査画像、および発表者用メニューが表示されている。発表者用メニューには、発表者のコメントを入力したり、参加者のコメントを表示したりすることができる。
【００４４】
ディスプレイ２３ａが図５（ａ）に示す画面レイアウトになっているとき、まず、発表者が第１端末装置２ａから医用情報処理装置３に対して、第２端末装置２ｂの画面レイアウトの更新を要求する（ステップＳ２１）。ステップＳ２１では、例えば、第１端末装置２ａの入力装置２２ａが発表者の操作を受け付け、処理回路２５ａが、その操作で入力された画面レイアウトの更新要求をＩ／Ｆ回路２１ａから医用情報処理装置３に送信させる。
【００４５】
医用情報処理装置３では、受付機能３３２が、Ｉ／Ｆ回路３１を介して第１端末装置２ａの要求を受け付ける。続いて、更新機能３３４が、第２端末装置２ｂに対して画面レイアウトの更新を指示する（ステップＳ２２）。ステップＳ２２では、例えば、画面レイアウトの更新指示が、更新機能３３４の制御に基づいて、Ｉ／Ｆ回路３１から第２端末装置２ｂに送信される。
【００４６】
第２端末装置２ｂでは、ディスプレイ２３ｂが、図５（ｂ）に示すように、画面レイアウトを更新する。その結果、第２端末装置２ｂには、第１端末装置２ａと同じタイムライン、検査数値、および検査画像が表示される。なお、図５（ｂ）に示す参加者用メニューには、参加者のコメントを入力することができる。
【００４７】
カンファレンスでは、参加者が発表者に対してコメントを指摘する場合がある。この場合、参加者は、第２端末装置２ｂにコメントを入力する（ステップＳ２４）。ステップＳ２４では、入力装置２２ｂが参加者の操作を受け付け、ディスプレイ２３ｂがその操作で入力されたコメントを参加者用メニューに表示する。続いて、処理回路２５ｂが、参加者のコメントをＩ／Ｆ回路２１ｂから医用情報処理装置３に送信させる。
【００４８】
医用情報処理装置３では、受付機能３３２が、第２端末装置２ｂからのコメントを受け付け、出力機能３３５が、そのコメントを第１端末装置２ａへ伝送する制御処理を行う（ステップＳ２５）。ステップＳ２５では、例えば、第２端末装置２ｂから発信された参加者のコメントが、出力機能３３５の制御に基づいて、Ｉ／Ｆ回路３１から第１端末装置２ａへ伝送される。第１端末装置２ａでは、ディスプレイ２３ａが、参加者のコメントを発表者用メニューに表示する（ステップＳ２６）。これにより、発表者は、参加者のコメントを第１端末装置２ａで確認することができる。なお、参加者のコメントは、他の参加者が使用する第２端末装置２ｂには表示されない。
【００４９】
また、カンファレンスの途中で、参加者が、第２端末装置２ｂのディスプレイ２３ｂには表示されていない医用情報を欲する場合がある。この場合、参加者は、第２端末装置２ｂに医用情報の要求を入力する（ステップＳ２７）。ステップＳ２７では、例えば、第２端末装置２ｂの入力装置２２ｂが参加者の操作を受け付け、処理回路２５ｂが、その操作で入力された第１医用情報の要求をＩ／Ｆ回路２１ｂから医用情報処理装置３に送信させる。
【００５０】
医用情報処理装置３では、情報要求処理が行われる（ステップＳ２８）。ここで、図４に示すシーケンス図からステップＳ２８を抜き出して、医用情報処理装置３による情報要求処理の手順について詳しく説明する。
【００５１】
図６は、医用情報処理装置３による情報要求処理の手順を示すフローチャートである。第１医用情報の要求は、Ｉ／Ｆ回路３１を介して処理回路３３へ入力される。処理回路３３では、まず、受付機能３３２が、第１医用情報の要求を受け付ける（ステップＳ２８１）。
【００５２】
次に、検索機能３３３が、患者情報データベース４から第１医用情報を検索する（ステップＳ２８２）。第１医用情報が患者情報データベース４に格納されている場合（ステップＳ２８３：Ｙｅｓ）、出力機能３３５は、第１実施形態と同様に、第２端末装置２ｂに対して第１医用情報を出力する制御処理を行う（ステップＳ２８４）。
【００５３】
第１医用情報が患者情報データベース４に格納されていなかった場合（ステップＳ２８３：Ｎｏ）、検索機能３３３は、第１実施形態と同様に、第１医用情報に関連する第２医用情報を患者情報データベース４から検索する（ステップＳ２８５）。第２医用情報が患者情報データベース４に格納されている場合（ステップＳ２８６：Ｙｅｓ）、出力機能３３５は、第１実施形態と同様に、第２端末装置２ｂに対して第２医用情報を出力する制御処理を行う（ステップＳ２８７）。
【００５４】
参加者は、第１医用情報が有用であると判断したとき、第２端末装置２ｂに対して、第１医用情報を第１端末装置２ａへ送信する操作を行う。また、参加者は、第１医用情報が無かった場合に第２医用情報で代用できると判断したとき、第２端末装置２ｂに対して、第２医用情報を第１端末装置２ａへ送信する操作を行う。さらに、参加者は、第２医用情報が無いかまたは第２医用情報で代用できないと判断したとき、第２端末装置２ｂに対して、第１医用情報を取得するための検査を提案する旨のコメントを第１端末装置２ａへ送信する操作を行う。
【００５５】
上記操作が行われると、出力機能３３５は、第１医用情報、第２医用情報、またはコメントを第１端末装置２ａへ送信する制御処理を行う（ステップＳ２８８）。これにより、医用情報処理装置３による情報要求処理が完了する。
【００５６】
上述した情報要求処理によって、第１端末装置２ａのディスプレイ２３ａには、図５（ｃ）に示すように、医用情報やコメントが表示される（ステップＳ２９）。その後、カンファレンスで、第１医用情報を取得するための検査を行うことが決定されると、発表者は、第１端末装置２ａのタイムラインに検査イベントＩ１を追加する操作を行う。この操作によって、図５（ｄ）に示すように、ディスプレイ２３ａに表示されたタイムラインには検査イベントＩ１が追加される。
【００５７】
続いて、発表者は、第１端末装置２ａから医用情報処理装置３に対して、第２端末装置２ｂの画面レイアウトの更新を要求する操作を行う（ステップＳ３０）。ステップＳ３０では、例えば、入力装置２２ａが発表者の操作を受け付け、処理回路２５ａが、その操作で入力された画面レイアウトの更新要求をＩ／Ｆ回路２１ａから医用情報処理装置３に送信させる。
【００５８】
医用情報処理装置３では、受付機能３３２が、Ｉ／Ｆ回路３１を介して第１端末装置２ａからの要求を受け付ける。続いて、更新機能３３４が、第２端末装置２ｂに対して画面レイアウトの更新を指示する（ステップＳ３１）。ステップＳ３１では、例えば、画面レイアウトの更新指示が、更新機能３３４の制御に基づいて、Ｉ／Ｆ回路３１から第２端末装置２ｂに送信される。
【００５９】
第２端末装置２ｂでは、ディスプレイ２３ｂが、図５（ｅ）に示すように、画面レイアウトを更新する。その結果、第２端末装置２ｂには、第１端末装置２ａと同様に、検査イベントＩ１を追加したタイムライン等が表示される。
【００６０】
以上説明した本実施形態によれば、カンファレンスの途中で、参加者が要求する第１医用情報が無かった場合、医用情報処理装置３が、第１医用情報に関連する第２医用情報を患者情報データベース４から自動的に検索する。第２医用情報が第１医用情報の代用になれば、第１医用情報を取得するための検査が不要になる。これにより、不要な検査を削減することができる。
【００６１】
また、本実施形態では、医用情報処理装置３によって、第１医用情報または第２医用情報が第１端末装置２ａと第２端末装置２ｂとにそれぞれ表示される。そのため、発表者および参加者が医用情報を共有できるので、利便性が向上する。
【００６２】
さらに、タイムラインへの検査イベントＩ１の追加等により第１端末装置２ａの画面レイアウトが更新されると、第２端末装置２ｂの画面レイアウトも同様に更新される。これにより、発表者および参加者の双方にカンファレンスの結果を反映させることができる。
【００６３】
なお、上述した各実施形態の説明で用いた「プロセッサ」という文言は、例えば、ＣＰＵ（Central Processing Unit）、ＧＰＵ（Graphics Processing Unit）、或いは、特定用途向け集積回路（Application Specific Integrated Circuit：ＡＳＩＣ）、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。ここで、記憶回路にプログラムを保存する代わりに、プロセッサの回路内にプログラムを直接組み込むように構成しても構わない。この場合には、プロセッサは回路内に組み込まれたプログラムを読み出して実行することで機能を実現する。また、本実施形態の各プロセッサは、プロセッサごとに単一の回路として構成される場合に限らず、複数の独立した回路を組み合わせて１つのプロセッサとして構成され、その機能を実現するようにしてもよい。
【００６４】
ここで、プロセッサによって実行されるプログラムは、ＲＯＭや記憶部等に予め組み込まれて提供される。なお、このプログラムは、これらの装置にインストール可能な形式又は実行可能な形式のファイルでＣＤ（Compact Disk）−ＲＯＭ、ＦＤ（Flexible Disk）、ＣＤ−Ｒ（Recordable）、ＤＶＤ（Digital Versatile Disk）等のコンピュータで読み取り可能な記憶媒体に記憶されて提供されてもよい。また、このプログラムは、インターネット等のネットワークに接続されたコンピュータ上に格納され、ネットワーク経由でダウンロードされることにより提供又は配布されてもよい。例えば、このプログラムは、各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００６５】
以上、いくつかの実施形態を説明したが、これらの実施形態は、例としてのみ提示したものであり、発明の範囲を限定することを意図したものではない。本明細書で説明した新規な装置および方法は、その他の様々な形態で実施することができる。また、本明細書で説明した装置および方法の形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【００６６】
２  端末装置
２ａ  第１端末装置
２ｂ  第２端末装置
３  医用情報処理装置
４  患者情報データベース
５  検査オーダシステム
３３３  検索機能
３３４  更新機能
３３５  出力機能
【図１】
2019204223.tif 000003
【図２】
2019204223.tif 000004
【図３】
2019204223.tif 000005
【図４】
2019204223.tif 000006
【図５】
2019204223.tif 000007
【図６】
2019204223.tif 000008